【手続補正書】
【提出日】平成22年9月7日(2010.9.7)
【手続補正１】
【補正対象書類名】特許請求の範囲
【補正対象項目名】全文
【補正方法】変更
【補正の内容】
【特許請求の範囲】
【請求項１】
シート状媒体が搬送される搬送路に配置された第１イメージセンサと、前記第１イメージセンサよりも前記搬送路の下流側に配置された第２イメージセンサとの間の固有のセンサ間距離を記憶し、
前記シート状媒体が搬送され、前記第１イメージセンサに至る手前の時点を第１読取開始時点とし、
前記シート状媒体が搬送され、前記第２イメージセンサに至る手前の時点であり、前記第１読取開始時点から前記センサ間距離だけ前記シート状媒体が搬送された後の時点を第２読取開始時点とし、
前記第１イメージセンサにより、前記第１読取開始時点から前記シート状媒体の第１面を含む第１画像情報を読み取り、
前記第２イメージセンサにより、前記第２読取開始時点から前記シート状媒体の第２面を含む第２画像情報を読み取ることを特徴とするシート状媒体の画像読取方法。
【請求項２】
請求項１に記載のシート状媒体の画像読取方法であって、
前記シート状媒体が前記第２イメージセンサを通過し終えた後の時点を第１読取終了時点および第２読取終了時点として設定し、
前記第１イメージセンサにより、前記第１読取開始時点から前記第１読取終了時点まで前記シート状媒体の前記第１面を含む前記第１画像情報を読み取り、
前記第２イメージセンサにより、前記第２読取開始時点から前記第２読取終了時点まで前記シート状媒体の前記第２面を含む前記第２画像情報を読み取り、
前記第１画像情報の前記第１面の画像情報を除く領域から、前記センサ間距離分の画像情報を除去することを特徴とするシート状媒体の画像読取方法。
【請求項３】
請求項１に記載のシート状媒体の画像読取方法であって、
前記第１画像情報の前記第１面の画像領域、または前記第２画像情報の前記第２面の画像領域は、所定明度以上の画像情報を抽出することにより特定することを特徴とする。
【請求項４】
請求項１に記載のシート状媒体の画像読取方法であって、
前記センサ間距離は、所定のシート状媒体を読み取ることにより取得することを特徴とするシート状媒体の画像読取方法。
【請求項５】
シート状媒体が搬送される搬送路と、
前記配送路に配置した第１イメージセンサと、
前記第１イメージセンサよりも前記搬送路の下流側に配置した前記第２イメージセンサと、
前記第１イメージセンサと前記第２イメージセンサの間の固有のセンサ間距離を記憶する記憶部と、
前記シート状媒体が前記第１イメージセンサに至る手前の第１読取開始時点から、前記第１イメージセンサに前記シート状媒体の第１面の画像情報を含む第１画像情報の読み取りを行わせる第１画像情報読取制御部と、
前記シート状媒体が前記第２イメージセンサに至る手前の時点であり、前記第１読取開始時点から前記センサ間距離だけ下流側の第２読取開始時点から、前記第２イメージセンサに前記シート状媒体の第２面の画像情報を含む第２画像情報の読み取りを行わせる第２画像情報読取制御部と、
前記第１画像情報を記憶する第１画像情報用メモリと、
前記第２画像情報を記憶する第２画像情報用メモリと、
を有することを特徴とするシート状媒体処理装置。
【請求項６】
請求項５に記載のシート状媒体処理装置であって、
前記シート状媒体が前記第２イメージセンサを通過し終えた後の時点を第１読取終了時点および第２読取終了時点とし、
前記第１読取開始時点から前記第１読取終了時点まで、前記第１イメージセンサに前記シート状媒体の前記第１面を含む前記第１画像情報の読み取りを行わせる前記第１画像情報読取制御部と、
前記第２読取開始時点から前記第２読取終了時点まで、前記第２イメージセンサに前記シート状媒体の前記第２面を含む前記第２画像情報の読み取りを行わせる前記第２画像情報読取制御部と、
前記第１画像情報用メモリの前記第１面の画像情報を除く領域から、前記センサ間距離分の画像情報を除去する画像取得部を有することを特徴とするシート状媒体処理装置。
【請求項７】
請求項５に記載のシート状媒体処理装置であって、
前記第１画像情報用メモリの前記第１面の画像領域、または前記第２画像情報用メモリの前記第２面の画像領域は、前記画像取得部により所定明度以上の画像情報を抽出することにより特定することを特徴とするシート状媒体処理装置。
【請求項８】
請求項５に記載のシート状媒体処理装置であって、
所定のシート状媒体を読み取ることにより得られた前記センサ間距離を、前記記録部に記憶することを特徴とするシート状媒体処理装置。
【手続補正２】
【補正対象書類名】明細書
【補正対象項目名】００１０
【補正方法】変更
【補正の内容】
【００１０】
本発明は以下の適用例を有する。
（適用例１）
シート状媒体が搬送される搬送路に配置された第１イメージセンサと、前記第１イメージセンサよりも前記搬送路の下流側に配置された第２イメージセンサとの間の固有のセンサ間距離を記憶し、
前記シート状媒体が搬送され、前記第１イメージセンサに至る手前の時点を第１読取開始時点とし、
前記シート状媒体が搬送され、前記第２イメージセンサに至る手前の時点であり、前記第１読取開始時点から前記センサ間距離だけ前記シート状媒体が搬送された後の時点を第２読取開始時点とし、
前記第１イメージセンサにより、前記第１読取開始時点から前記シート状媒体の第１面を含む第１画像情報を読み取り、
前記第２イメージセンサにより、前記第２読取開始時点から前記シート状媒体の第２面を含む第２画像情報を読み取ることを特徴とするシート状媒体の画像読取方法。
（適用例２）
適用例１に記載のシート状媒体の画像読取方法であって、
前記シート状媒体が前記第２イメージセンサを通過し終えた後の時点を第１読取終了時点および第２読取終了時点として設定し、
前記第１イメージセンサにより、前記第１読取開始時点から前記第１読取終了時点まで前記シート状媒体の前記第１面を含む前記第１画像情報を読み取り、
前記第２イメージセンサにより、前記第２読取開始時点から前記第２読取終了時点まで前記シート状媒体の前記第２面を含む前記第２画像情報を読み取り、
前記第１画像情報の前記第１面の画像情報を除く領域から、前記センサ間距離分の画像情報を除去することを特徴とするシート状媒体の画像読取方法。
（適用例３）
適用例１に記載のシート状媒体の画像読取方法であって、
前記第１画像情報の前記第１面の画像領域、または前記第２画像情報の前記第２面の画像領域は、所定明度以上の画像情報を抽出することにより特定することを特徴とする。
（適用例４）
適用例１に記載のシート状媒体の画像読取方法であって、
前記センサ間距離は、所定のシート状媒体を読み取ることにより取得することを特徴とするシート状媒体の画像読取方法。
（適用例５）
シート状媒体が搬送される搬送路と、
前記配送路に配置した第１イメージセンサと、
前記第１イメージセンサよりも前記搬送路の下流側に配置した前記第２イメージセンサと、
前記第１イメージセンサと前記第２イメージセンサの間の固有のセンサ間距離を記憶する記憶部と、
前記シート状媒体が前記第１イメージセンサに至る手前の第１読取開始時点から、前記第１イメージセンサに前記シート状媒体の第１面の画像情報を含む第１画像情報の読み取りを行わせる第１画像情報読取制御部と、
前記シート状媒体が前記第２イメージセンサに至る手前の時点であり、前記第１読取開始時点から前記センサ間距離だけ下流側の第２読取開始時点から、前記第２イメージセンサに前記シート状媒体の第２面の画像情報を含む第２画像情報の読み取りを行わせる第２画像情報読取制御部と、
前記第１画像情報を記憶する第１画像情報用メモリと、
前記第２画像情報を記憶する第２画像情報用メモリと、
を有することを特徴とするシート状媒体処理装置。
（適用例６）
適用例５に記載のシート状媒体処理装置であって、
前記シート状媒体が前記第２イメージセンサを通過し終えた後の時点を第１読取終了時点および第２読取終了時点とし、
前記第１読取開始時点から前記第１読取終了時点まで、前記第１イメージセンサに前記シート状媒体の前記第１面を含む前記第１画像情報の読み取りを行わせる前記第１画像情報読取制御部と、
前記第２読取開始時点から前記第２読取終了時点まで、前記第２イメージセンサに前記シート状媒体の前記第２面を含む前記第２画像情報の読み取りを行わせる前記第２画像情報読取制御部と、
前記第１画像情報用メモリの前記第１面の画像情報を除く領域から、前記センサ間距離分の画像情報を除去する画像取得部を有することを特徴とするシート状媒体処理装置。
（適用例７）
適用例５に記載のシート状媒体処理装置であって、
前記第１画像情報用メモリの前記第１面の画像領域、または前記第２画像情報用メモリの前記第２面の画像領域は、前記画像取得部により所定明度以上の画像情報を抽出することにより特定することを特徴とするシート状媒体処理装置。
（適用例８）
適用例５に記載のシート状媒体処理装置であって、
所定のシート状媒体を読み取ることにより得られた前記センサ間距離を、前記記録部に記憶することを特徴とするシート状媒体処理装置。
（他の適用例１）
適用例５に記載のシート状媒体処理装置であって、
上位装置に接続するためのもので、前記第１画像情報と前記第２画像情報を送信可能な送信部を有することを特徴とする。
（他の適用例２）
適用例５に記載のシート状媒体処理装置であって、
前記第１画像情報と前記第２画像情報から、所定明度以上の画像情報を抽出し、第１面の画像情報と第２面の画像情報を取得する前記画像取得部と、
上位装置に接続するためのもので、前記第１面の画像情報と前記第２面の画像情報を送信可能な送信部を有することを特徴とする。
上記の課題を解決するために、本発明のシート状媒体の画像読取方法は、
シート状媒体が搬送される搬送路の一方の側に第１イメージセンサを配置し、当該搬送路の他方の側において、前記第１イメージセンサよりも下流側の位置に第２イメージセンサを配置し、
前記第１イメージセンサによる画像読取位置と、前記第２イメージセンサによる画像読取位置との間のセンサ間距離を測定しておき、
前記シート状媒体が前記第１イメージセンサの画像読取位置に至る手前の第１読取開始時点から当該画像読取位置を通過し終えた後の第１読取終了時点まで、前記第１イメージセンサによって前記シート状媒体における一方の第１面の画像情報を含む第１画像情報を読み取り、
前記シート状媒体が前記第２イメージセンサの画像読取位置に至る手前の第２読取開始時点から当該画像読取位置を通過し終えた後の第２読取終了時点まで、前記第２イメージセンサによって前記シート状媒体における他方の第２面の画像情報を含む第２画像情報を読み取り、
前記第２読取開始時点を、前記第１読取開始時点から前記センサ間距離だけ前記シート状媒体が搬送された後の時点に設定し、
前記第１画像情報に含まれる前記第１面の画像情報に基づき他方の前記第２画像情報に含まれる前記第２面の画像情報を特定し、あるいは、前記第２画像情報に含まれる前記第２面の画像情報に基づき他方の前記第１画像情報に含まれる前記第１面の画像情報を特定することを特徴とする。